(57)【特許請求の範囲】
【請求項１】
軸部材と、
該軸部材を枢支している軸受手段と、
該軸受手段の軸方向外方で、該軸部材の端部側に嵌め込まれた嵌合部材とを備えてなるモータにおいて、
該軸部材と該嵌合部材との嵌合部分の隙間を封止する環状の封止部材が、その径方向内方部分を該軸部材に設けられた凹溝内に嵌め込んだ状態で装着され、
該封止部材の径方向外方部分は該嵌合部材により軸方向に力を加えられて該嵌合部材に密接していることを特徴とするモータ。
【請求項２】
該嵌合部材が、該軸受手段に近接してラビリンスシール構造を形成している請求項１記載のモータ。
【発明の詳細な説明】
【０００１】
【産業上の利用分野】
本発明は記録ディスクを回転するため、或いはレーザービームプリンタに用いられるミラーを回転するためのモータに関する。
【０００２】
【従来の技術】
従来のモータは、図３に示すように磁気ディスク１４を回転駆動するためのもので、軸が装置の外枠に螺着された軸固定型のモータである。装置の外枠Ａを形成するベース１には環状凹部２が設けられ、その環状凹部２にステータ３が内嵌され、環状凹部２の中心孔に固定軸５の下端部がナット６によってベース１に固定されている。固定軸５には、軸受手段である一対の玉軸受８,８'を介してスリーブ９が回転自在に支持され、スリーブ９の下部外周に前記ステータ３の内周面に対向するようにロータマグネット１１が固定されている。
【０００３】
スリーブ９の外周には回転部材であるロータハブ１０が外嵌固定され、このロータハブ１０の下部外周に広がるフランジ部１２上に磁気ディスク１４を載置するようになっている。
【０００４】
固定軸５の上端部には、スリーブ９及び玉軸受８の上方を覆うキャップ１５が圧入により嵌合固定されている。そのキャップ１５は、円盤部１５ｂとその円盤部１５ｂの外周から下方に延びる外壁部１５ｃと内周から上方に延びる内壁部１５ａとからなる。外壁部１５ｃとスリーブ９とは、微小な間隙で対向しているためラビリンスシール構造２４を形成しており、また、内壁部１５ａはキャップ１５の固定軸５に対する取付け部分となっている。そのラビリンスシール構造２４は玉軸受８のアウトガスの流出を防いでいる。また、玉軸受８'の下方には、固定軸５とスリーブ９との間に磁性流体シール１６が配置され、アウトガスやオイルの流出を防いでいる。
【０００５】
【発明が解決しようとする課題】
以上のような構成をしたモータではあるが、次のような問題があった。即ち、玉軸受８においてその内輪と転動体との隙間より軸受内にある潤滑オイルが滲み出し内輪の表面を伝わる。そのオイルはキャップ１５と固定軸５との嵌め合わせの隙間１７を通ってディスク室２０へと伝わり、そのオイルが外枠Ａの内面へ漏出する。そしてディスク室２０にオイルが漏出するとディスク１４表面に付着し、データの読み書きを行うヘッド（図示せず）が正常に作動できないことがある。
【０００６】
本発明は、従来のこのような問題点を解決して、軸受からの潤滑オイルやアウトガスがモータ外部へ漏出することが防止される信頼性の高いモータを提供することを目的とする。
【０００７】
【課題を解決するための手段】
上記目的を達成するために本発明のモータにおいては、軸部材と、その軸部材を枢支している軸受手段と、その軸受手段の軸方向外方で、その軸部材の端部側に嵌め込まれた嵌合部材とを備えてなるモータであって、その軸部材とその嵌合部材との嵌合部分の隙間を封止する環状の封止部材が、その径方向内方部分をその軸部材に設けられた凹溝内に嵌め込んだ状態で装着され、その封止部材の径方向外方部分はその嵌合部材により軸方向に力を加えられてその嵌合部材に密接していることを特徴とする。
【０００８】
また、その嵌合部材がその軸受手段に近接してラビリンスシール構造を形成していることが望ましい。
【００１２】
【作用】
前述した構成のモータにあっては、軸部材と嵌合部材との嵌合部分の隙間を封止する封止部材が装着されているため、軸受手段より滲み出た潤滑オイルはその封止部材に阻まれてその隙間に浸入することはない。
【００１３】
また、嵌合部材が軸受手段に近接してラビリンスシール構造を形成しているため、軸受手段からの潤滑オイルは封止部材とラビリンスシール構造との二重にオイルの流出を防ぐ構造が形成される。
【００１４】
また、軸部材と嵌合部材とが回転するため、軸部材と嵌合部材とが回転するモータにも、軸受手段より滲み出た潤滑オイルはその封止部材に阻まれてその隙間に浸入することはない。
【００１５】
また、封止部材が弾性を有する材質であるため、容易に装着でき組立が簡単となる。そして嵌合部材及び軸部材に対して高い密着状態を保つことができるので、軸受手段からの潤滑オイルの漏出を防止できる。
【００１６】
更に、封止部材が軸部材に設けられた凹溝内に嵌め込まれているため、封止部材は装着時に位置決めしやすいと共に装着後に位置ずれすることもない。
【００１７】
【実施例】
以下実施例を示す図面に基づいて本発明を説明する。図１は本発明を示すモータの第一実施例の断面図である。なお、実施例において従来例と同一符号は、同一もしくは相当するものを示すものである。
【００１８】
この図において、従来と異なる点は、上側の玉軸受８と嵌合部材であるキャップ１５と固定軸５とに関する部位にある。即ち、キャップ１５は、固定軸５に圧入により嵌め込まれて固定されているため、固定軸５と内壁部１５ａとの間には、所によっては僅かな隙間１７が存在する。そしてその間隙１７の下端開口部１７ａには、環状の弾性を有する材質（例えばゴム）からなる封止部材２２が開口部１７ａを封じるようにして固定軸５に装着されている。固定軸５には、その封止部材２２が位置ずれしないようにその封止部材２２の内周の一部が収容される程度の大きさの凹溝２３が環状に設けられている。また、装着の際も位置決めしやすく都合がよい。その凹溝２３は、実施例では略三角断面となっているが、別形状（例えば略四角断面）であってもよいし、或いはキャップ１５に凹溝２３を設けてもよくこの場合は径方向外方に広がる弾性を有する材質を装着するとよい。
【００１９】
以上のような構成をしたモータは、玉軸受８からの潤滑オイルが滲み出て内輪の上端表面から固定軸５へと伝わったとしても、内壁部１５ａと固定軸５との隙間１７の下端開口部１７ａに封止部材２２が装着されているため、それ以上にそのオイルが隙間１７へ浸入することはない。この場合、封止部材２２は材質の弾性より変形して相対する接触部材（固定軸５及びキャップ１５）と極めて高い密着状態を保つことができる。また封止部材２２は、オイルを吸収する多孔質部材のものでもよく、例えばセルロース、発砲樹脂又は発砲ゴム等がある。この場合、オイルは一度吸収されるとそれ以上は移動しないので、隙間へオイルが浸入することはない。
【００２０】
よって、隙間１７の下端開口部１７ａは、実質上ほぼ完全に封止することができる。更にラビリンスシール構造２４と封止部材２２との二重にオイルの流出を防ぐ構造となるため、オイルがディスク室２０へ流出することはない。
【００２１】
次に図２は本発明を示すモータの第二実施例の断面図であって、車載用電装機器等に用いられる。これは、軸が回転する軸回転型のモータでその構造は、静止部材としてベースプレート３２に略円筒状の軸受ブッシュ３１が配設されている。この軸受ブッシュ３１の内側には一対の玉軸受３４,３４'を介して、回転軸３５が回転自在に支持されている。回転軸３５の上部は、略碗型のロータ（嵌合部材）３６が圧入により固定され、回転軸３５と共に回転するようになっている。ロータ３６は、周壁部３６ａと、該周壁部３６ａを回転軸３５に連結する取付部３６ｂとからなり周壁部３６ａの内周には、環状のロータマグネット３７が装着され、軸受ブッシュ３１の外側に外嵌されたステータ３８に対向している。
【００２２】
取付部３６ｂの下方には、環状の弾性を有する材質（例えばゴム）からなる封止部材４３が回転軸３５に装着されており、取付部３６ｂと回転軸３５との嵌合部分の隙間４２を封止している。なお、封止部材４３の一部が、回転軸３５に設けられた環状凹溝３５ａに位置ずれしないように収容されている。ベースプレート３２の回路基板３９には、ロータマグネット３７と対向し、ロータマグネット３７の真下よりやや内側にロータ位置検出手段４０が載置され、ロータマグネット３７の磁界を読み取り、回転検出を行っている。軸受ブッシュ３１の下方の開口端部３１ａには、回転軸３５の下端を軸方向へ受け止める樹脂製のブッシュ４１が装着されている。そのブッシュ４１の外側には、鉄製で肉厚の薄いスラストプレート３３が配設されている。
【００２３】
以上のような構成をしたモータは、玉軸受３４,３４'から潤滑オイルが滲み出たとしても、封止部材４３がロータ３６及び回転軸３５に密着保持されているため、隙間４２へそのオイルが浸入することはない。故に隙間４２を通ってモータ外部へオイルが流出することはない。
【００２４】
以上、本発明に従うモータの実施例について説明したが、本発明はかかる実施例に限定されるものではなく、本発明の範囲を逸脱することなく種々の変更が可能である。例えば、第一の実施例では、磁気ディスクを回転駆動するためのモータであるが、レーザービームプリンタに用いられるポリゴンミラーを備えたモータに用いてもよい。また、第一及び第二の実施例における軸受手段は共に玉軸受であるが、動圧流体軸受やスリーブ軸受等の軸受手段であっても同様の効果が得られる。
【００２５】
【発明の効果】
本発明は、以上説明したように構成されているため、次に記載する効果を奏する。即ち、嵌合部材と軸部材との嵌合部分の隙間を封止部材によって封止したため、軸受手段から滲み出たオイルはその封止部材に阻まれてその隙間に浸入することはない。また、封止部材に弾性を有する材質を用いると、容易に装着でき組立が簡単であり、しかも嵌合部材及び軸部材に対して高い密着状態を保つことができるので、軸受手段からのオイルの浸入を防止することができる。
【００２６】
更に、軸部材に凹溝を設けてその凹溝内に封止部材を嵌め込まれているため、嵌合部材は装着時に位置決めしやすいと共に位置ずれすることもない。また、その嵌合部材が軸受手段と回転部材の一部とでラビリンスシール構造を形成しているため、軸受手段からのオイルは封止部材とラビリンスシール構造との二重にオイルの流出を防ぐ構造が実現される。また、封止部材に弾性を有する材質を用いると、嵌合部材及び軸部材に対して高い密着状態を保つことができるので、軸受手段からの潤滑オイルの漏出を防止することができる。
以上より本発明のモータは、軸受手段からの潤滑オイルやアウトガスがモータ外部へ漏出することが防止される信頼性の高いモータ実現される。
【図面の簡単な説明】
【図１】本発明によるモータの第一の実施例を示す全体断面図である。
【図２】本発明によるモータの第二の実施例を示す全体断面図である。
【図３】従来のモータを示す全体断面図である。
【符号の説明】
５  固定軸
８,８'  玉軸受
９  スリーブ
１０  ロータハブ
１５  キャップ
１７  隙間
２２  封止部材
【図１】
0003652732.tif 000002
【図２】
0003652732.tif 000003
【図３】
0003652732.tif 000004